(57)【要約】【課題】コイルボビンに設けられたリード線を保持する溝を遮光する上で、コイルユニットの破壊リスクを上げることがない遮光手段を有するレンズ鏡筒を提供すること。【解決手段】コイル本体およびコイルボビンから成るコイルユニットと、該コイルユニットを保持するコイル保持部材を有し、前記コイルボビンには、コイルボビンの一方の面にあるコイル本体からコイルボビンの他方の面にある端子部に、リード線を巻着する際に、リード線を安定保持するための、一方の面から他方の面に延出する溝が設けられ、前記溝は、前記コイル本体から前記端子部に近づくにつれて減肉される斜面に連なり、前記リード線は、前記コイル本体から前記溝、前記斜面を経由して、前記端子部に達し、前記コイル保持部材は、前記コイルユニットを組み込んだ際に、前記溝における一方の面から他方の面への開口を覆うような鍔部を有することを特徴とする。【選択図】図５
2016102842.tif 000002
【特許請求の範囲】
【請求項１】
コイル本体（３７０）およびコイルボビン（３７１）から成るコイルユニット（３７）と、該コイルユニットを保持するコイル保持部材（３２）を有し、
前記コイルボビン（３７１）には、
コイルボビン（３７１）の一方の面にあるコイル本体（３７０）からコイルボビン（３７１）の他方の面にある端子部（３７１１）に、リード線（３７０１）を巻着する際に、リード線（３７０１）を安定保持するための、一方の面から他方の面に延出する溝（３７１２）が設けられ、
前記溝（３７１２）は、
前記コイル本体（３７０）から前記端子部（３７１１）に近づくにつれて減肉される斜面（３７１４）に連なり、
前記リード線（３７０１）は、
前記コイル本体（３７０）から前記溝（３７１２）、前記斜面（３７１４）を経由して、前記端子部（３７１１）に達し、
前記コイル保持部材（３２）は、
前記コイルユニット（３７）を組み込んだ際に、前記溝（３７１２）における一方の面から他方の面への開口を覆うような鍔部（３２５２）を有することを特徴とするレンズ鏡筒（２）。
【請求項２】
前記斜面は、すり鉢形状であることを特徴とする請求項１に記載のレンズ鏡筒（２）。
【発明の詳細な説明】
【技術分野】
【０００１】
本発明は、コイルユニットを具備するレンズ鏡筒に関する。
【背景技術】
【０００２】
レンズ鏡筒において、部品同士には若干の間隙が設けられているが、この間隙から不要な光が侵入した場合、ゴーストなどの光学性能への影響を及ぼす現象が起こるおそれがある。特に、光軸方向から見たときの隙間は、光が撮像面に到達しやすく、問題となりやすい。そのような現象を防止するため、従来、種々の遮光手段が講じられている。
【０００３】
特許文献１では、隣接する２つの筒体のうち、内側の筒体後端には外径方向に突出する鍔部を設け、外側の筒体には内径方向に突出する鍔部を設け、それぞれの鍔部が光軸方向から見たときに重なり合う構成のレンズ鏡筒が開示されている。
【先行技術文献】
【特許文献】
【０００４】
【特許文献１】特開２０１２−２５５９４７号公報
【発明の概要】
【発明が解決しようとする課題】
【０００５】
しかしながら、上記従来技術そのままの遮光手段では、他の問題が生じる場合がある。その一例として、レンズ鏡筒内に具備された防振装置の一部であるコイルボビンの箇所を、上記従来技術そのままの遮光手段で遮光する場合の構成を示す。
【０００６】
図６（ａ）、図６（ｂ）はレンズ鏡筒内に具備された防振装置の一部であるコイル本体８０ａとコイルボビン８１ａの斜視図である。図６（ｃ）は図６（ｂ）におけるＡ箇所の拡大図であり、図６（ｂ）で省略したリード線８０１ａを図示している。コイルボビン８１ａには、コイルボビン８１ａの一方の面にあるコイル本体８０ａからコイルボビン８１ａの他方の面にある端子部８１１ａに、リード線８０１ａを巻着する際に、リード線８０１ａを安定保持するための、溝８１２ａが設けられている。溝８１２ａはコイルボビン８１ａの一方の面から他方の面に延出している。
【０００７】
図６（ｄ）は前記コイル本体８０ａおよびコイルボビン８１ａが保持部材８２ａに組み込まれた状態を示す図である。コイルボビン８１ａは、端子部８１１ａ側の面において、保持部材８２ａに保持されており、端子部８１１ａ近傍の箇所は、フレキシブル基板８３ａと、端子部８１１ａの電気的接続をとるために、保持部材８２ａに穴８２１ａが設けられている。この穴８２１ａと溝８１２ａによって、光軸方向に見たときの大きな隙間が形成され、フレキシブル基板８３ａは透けるため、光学性能への影響を防ぐには、何らかの遮光手段を講じる必要がある。
【０００８】
図６（ｅ）は、図６（ｄ）で示す構成による影響を防ぐために、上記従来技術の遮光手段を講じた構成で、コイル本体８０ｂおよびコイルボビン８１ｂが、保持部材８２ｂに組み込まれた状態を示す図である。コイルボビン８１ｂと保持部材８２ｂにおいて、上記従来技術で示されたような遮光手段を達成するように、保持部材８２ｂの穴８２１ｂの一端部には光軸方向に見たときにコイルボビン８１ｂの溝８１２ｂと重なり合う鍔部８２２ｂが設けられている。このような構成にした場合、鍔部８２２ｂを設けるために、コイルボビン８１ｂの端子設置面８１３ｂを下げる必要がある。
【０００９】
結果として、遮光手段を取らなかった場合に比べて、コイルボビン８１ｂに保持された端子部８１１ｂは、鍔部８２２ｂの厚さＬ分、余分に長くする必要がある。端子部８１１ｂが長ければ長くなるほど、端子部８１１ｂに同一の力が働いた際に働くモーメントは大きくなり、端子部８１１ｂが破壊される可能性が高まる。
【００１０】
図６（ｆ）は、図６（ｅ）で示す構成による影響を防ぐための構成で、コイル本体８０ｃおよびコイルボビン８１ｃが、保持部材８２ｃに組み込まれた状態を示す図である。該構成において、コイルボビン８１ｃの端子設置面８１３ｃに段差８１４ｃを設けた。段差８１４ｃが設けられた位置に、保持部材８２ｃの穴８２１ｃの一端部において鍔部８２２ｃを延出させた。鍔部８２２ｃは、光軸方向に見たときにコイルボビン８１ｃの溝８１２ｃと重なり合う。このような構成も、上記従来技術において、たびたび用いられる構成であり、端子部８１１ｃを長くする必要がない。
【００１１】
この場合は図６（ｇ）に示すように、段差部８１４ｃにおいて、リード線８０１ｃはテンションがかかったまま中空に保持されてしまい、組み立て時などにおいて、段差部８１４ｃのリード線８０１ｃに不慮の力をかけてしまうと、リード線８０１ｃが切れてしまうおそれがある。
【００１２】
そこで、本発明の目的は、コイルボビンに設けられたリード線を保持する溝を遮光する上で、コイルユニットの破壊リスクを上げることがない遮光手段を有するレンズ鏡筒を提供することにある。
【課題を解決するための手段】
【００１３】
上記目的を達成するために、本発明に係るレンズ鏡筒は、コイル本体およびコイルボビンから成るコイルユニットと、該コイルユニットを保持するコイル保持部材を有し、前記コイルボビンには、コイルボビンの一方の面にあるコイル本体からコイルボビンの他方の面にある端子部に、リード線を巻着する際に、リード線を安定保持するための、一方の面から他方の面に延出する溝が設けられ、前記溝は、前記コイル本体から前記端子部に近づくにつれて減肉される斜面に連なり、前記リード線は、前記コイル本体から前記溝、前記斜面を経由して、前記端子部に達し、前記コイル保持部材は、前記コイルユニットを組み込んだ際に、前記溝における一方の面から他方の面への開口を覆うような鍔部を有することを特徴とする。
【発明の効果】
【００１４】
本発明によれば、コイルボビンに設けられたリード線を保持する溝を遮光する上で、コイルユニットの破壊リスクを上げることがない遮光手段を有するレンズ鏡筒の提供を実現できる。
【図面の簡単な説明】
【００１５】
【図１】レンズ鏡筒の断面図
【図２】コイルユニットを搭載した３群ユニットの斜視図
【図３】コイルユニットを搭載した３群ユニットの構成を説明する断面図
【図４】コイルユニットの斜視図
【図５】コイルユニットを搭載した３群ユニットの遮光手段を説明する断面図
【図６】従来のコイルユニットを搭載した３群ユニットの遮光手段を説明する図
【発明を実施するための形態】
【００１６】
以下、図面を参照して本発明の好適な実施形態を説明する。
【００１７】
まず、本発明に係るレンズ鏡筒の概要を説明する。図１（ａ）はレンズ鏡筒２の正面図である。図１（ｂ）は図１（ａ）のＢ−Ｂ断面図である。
【００１８】
レンズ鏡筒２は、１群レンズＬ１、２群レンズＬ２、３群レンズＬ３、４群レンズＬ４、５群レンズＬ５、および、絞りシャッターユニット６０を備えている。このうち３群レンズＬ３は、防振装置を搭載したレンズ群であり、５群レンズＬ５は光軸方向に移動させて焦点調節を行うためのレンズ群である。
【００１９】
１群レンズＬ１、２群レンズＬ２、３群レンズＬ３、および、４群レンズＬ４は、沈胴およびズーム動作のために、公知のカム進退機構によって、光軸方向に移動する。５群レンズＬ５は、ステッピングモータを用いた５群駆動装置５２により、光軸方向に移動する。各レンズ群を通して結像する被写体からの光は、センサホルダ７１に保持された撮像素子７４の受光面に到達し、被写体像が光電変換によって電気信号に変換され、公知のデジタルカメラとして機能する。
【００２０】
３群レンズＬ３は、詳細は後述するが、３群レンズホルダ３１により保持される。３群レンズホルダ３１は、３群ベース３２に対し、光軸に対し垂直な平面内で移動可能に保持されている。３群ベース３２は光軸に対し垂直な平面内では位置決めされつつ、光軸方向に移動可能に保持されている。３群レンズホルダ３１にはマグネットが保持されている。３群ベースにはコイルユニットが保持されている。コイルに電流を流すことで磁力が発生し、その反発もしくは吸引力によって、マグネットおよび３群レンズホルダ３１が移動させられ、公知の防振装置として機能する。
【００２１】
次に、防振装置を搭載し、３群レンズＬ３を保持している、３群ユニット３０の構成について説明する。図２は３群ユニット３０の斜視図である。図２（ａ）は３群ユニット３０の被写体側を示す斜視図である。図２（ｂ）は３群ユニット３０の像面側を示す斜視図である。図２（ｃ）は図２（ｂ）と同じ方向から見た３群ユニット３０の分解斜視図である。図２（ｄ）は図２（ａ）と同じ方向から見た３群ベース３２の斜視図である。図２（ｅ）は図２（ｄ）におけるＣ箇所の拡大図である。図３は３群ユニット３０の構成を説明する断面図である。図３（ａ）は３群ユニット３０を被写体側から見た正面図、図３（ｂ）は図３（ａ）のＤ−Ｄ断面図、図３（ｃ）は図３（ａ）のＥ−Ｅ断面図である。
【００２２】
３群ユニット３０に搭載された防振装置は、補正レンズであるところの３群レンズＬ３を光軸と垂直な平面内で第１の方向および第２の方向に移動させ、手振れなどにより生じる像揺れを補正するように構成されている。なお、ここで、第１の方向とは、図３に示す左右方向をいう。第２の方向とは、第１の方向に対して直角な方向、つまり、図３に示す上下方向をいう。３群レンズＬ３は、第１の方向および第２の方向にそれぞれ専用の駆動部および位置検出部により、独立に駆動されて位置決めされる。また、先述したように、３群ベース３２は光軸方向に移動可能である。
【００２３】
３群ベース３２は、３つのボール３５をそれぞれ保持する３つのボール保持部３２３を備える。ボール保持部３２３の底面は光軸と垂直な平面であり、また、略同一面である。また、２つのＩＳ引っ張りばね３６を係止する、フック形状の、２つのベース側ばね係止部３２４を備える。さらに、２つのコイルユニット３７をそれぞれ保持する２つのコイル保持部３２５を備える。コイル保持部３２５には、コイルユニット３７の端子部を挿通するための穴３２５１と、鍔部３２５２が設けられている。３群レンズホルダ３１は、中央のレンズ保持部３１１に３群レンズＬ３を保持する。３群レンズホルダ３１は、２つのＩＳ引っ張りばね３６を係止するフック形状の、２つのホルダ側ばね係止部３１２を備える。
【００２４】
また、３群レンズホルダ３１において、３群レンズＬ３の外周部には、２極に着磁された２つのマグネット３１３が一体形成されている。マグネット３１３の着磁の方向は図２や図３（ｂ）の通りであるが、着磁の方向は逆転していてもよい。図３（ｃ）に示すように、３つのボール保持部３２３にそれぞれ一つずつボール３５が配設され、それぞれの凹部の底面と接している。さらに、３群レンズホルダ３１には、前記３つのボール保持部３２３と対向した位置に、それぞれ、ボール受け面３１４が設けられている。つまり、ボール３５は、３群ベース３２のボール保持部３２３の底面と、対向する３群レンズホルダ３１のボール受け面３１４に、挟まれるようになっている。
【００２５】
ＩＳ引っ張りばね３６は、ボール３５を介して３群レンズホルダ３１を、３群ベース３２に向かう光軸方向に付勢している。ホール素子ホルダ３８は、３群レンズホルダ３１を間に挟んだ状態で、３群ベース３２に固定される。ホール素子ホルダ３８は、ＩＳ  ＦＰＣ３９に実装された２つの位置検出素子（ホール素子）であるホール素子３９１を、それぞれ保持する２つのホール素子保持部３８１を具備している。
【００２６】
図３（ｂ）に示すように、２つのマグネット３１３とコイルユニット３７とは、それぞれ所定の間隔を持って対向し、磁気回路中に置かれている。また、２つのホール素子３９１とマグネット３１３とは、それぞれ所定の間隔を持って対向して配置されている。２つのコイルユニット３７、２つのホール素子３９１は、ＩＳ  ＦＰＣ３９によって電気的に接続されている。ＩＳ  ＦＰＣ３９は、不図示のメイン基板と接続されている。メイン基板から、ＩＳ  ＦＰＣ３９を介して、コイルに電流を流す、ホール素子の信号を読み取る、などを行う。
【００２７】
コイルユニット３７にそれぞれ電流を流すことで磁力が発生し、その反発もしくは吸引力によってそれぞれに対向するマグネット３１３が移動させられる。マグネット３１３が磁力によって移動させられることによって、３群レンズホルダ３１は光軸と垂直方向に移動する。また、ホール素子３９１は、それぞれ、対向しているマグネットの磁力の変化を検知することによって３群レンズホルダ３１の位置検出を行っている。防振機能を得るために、不図示のジャイロセンサによってカメラの振れを検出し、この振れに起因する像揺れを補正するように、不図示のマイコンにてフィードバック制御して、３群レンズホルダ３１および３群レンズＬ３を移動させている。
【００２８】
次に、３群ユニットの遮光手段について説明する。図４はコイルユニット３７の斜視図である。図４（ａ）、図４（ｂ）はコイルユニット３７の斜視図であり、図４（ｃ）は図４（ｂ）のＦ箇所の拡大図であり、図４（ｂ）で省略したリード線３７０１を図示している。図５はコイルユニット３７を搭載した３群ユニット３０の遮光手段を説明する断面図である。図５（ａ）は３群ユニット３０を像面側から見た背面図である。図５（ｂ）は図５（ａ）のＧ−Ｇ断面図である。
【００２９】
コイルユニット３７は、コイル本体３７０、コイルボビン３７１とから成る。コイル本体３７０から、端子設置面３７１３に設けられた端子部３７１１との接続をとるためのリード線３７０１が延出している。コイルボビン３７１には、コイルボビン３７１の一方の面にあるコイル本体３７０からコイルボビン３７１の他方の面にある端子部３７１１に、リード線３７０１を巻着する際に、リード線３７０１を安定保持するための、溝３７１２が設けられている。溝３７１２はコイルボビン３７１の一方の面から他方の面に延出している。
【００３０】
溝３７１２は、すり鉢形状部３７１４に連なっている。リード線３７０１は、コイル本体３７０から溝３７１２およびすり鉢形状部３７１４を介して、端子部３７１１に巻回されている。先述したように、コイルユニット３７は、３群ベース３２のコイル保持部３２５において保持されている。コイル保持部３２５には、鍔部３２５２が設けられている。鍔部３２５２は、光軸方向から見たときに、溝３７１２による開口を塞ぐように形成されている。これにより、被写体側から入射される光が、溝３７１２による開口を介して撮像面側に進入しにくくすることができる。
【００３１】
このとき、図６（ｅ）で示したように、端子部３７１１を長くする必要は生じない。これは、溝３７１２がすり鉢形状部３７１４に連なるようにし、その箇所に鍔部３２５２を設けているため、端子設置面３７１３を下げる必要がないためである。また、図６（ｇ）で示したように、リード線３７０１が中空に保持されることはない。これは、溝３７１２からすり鉢形状部３７１４を介して端子部３７１１に到達するまでに、面の変化が一方向であるためである。図５（ｂ）に示すように、この場合、溝３７１２においては、紙面左から右に向かう方向の面であり、すり鉢形状部３７１４においては、紙面左上から右下に向かう方向の面であり、端子設置面３７１３においては、紙面上から下に向かう方向の面である。つまり、面の変化が一方向（時計回り）である。
【００３２】
面の変化が一方向であれば、リード線にテンションをかけて這い回した場合、リード線はその面に倣うので、リード線が中空に保持されることはない。一方、図６（ｆ）に示す例の場合、溝８１２ｃにおいては、紙面左から右に向かう方向の面であり、段差８１４ｃにおいて、紙面上から下に向かう面に変化したのち、紙面左から右に向かう方向の面に戻っている。つまり、面が一方向（時計回り）に変化したのち、逆方向（反時計回り）に変化している。このように面の変化が逆方向になる面があると、リード線はその面に接触せず、中空に保持される。
【００３３】
上記のように、本実施例では、コイルユニット３７は、コイル本体３７０とコイルボビン３７１とから成る。コイルボビン３７１において、溝３７１２がすり鉢形状部３７１４に連なる形状を持つ。コイル本体３７０において、リード線３７０１がコイル本体３７０から溝３７１２およびすり鉢形状部３７１４を介して端子部３７１１に巻回されている。３群ベースは光軸方向に見たときに溝３７１２を塞ぐ鍔部３２５２を、すり鉢形状部３７１４の方向に延出するように設けている。これにより、溝３７１２を遮光する上で、コイルユニット３７の破壊リスクを上げることがない遮光手段を有するレンズ鏡筒２を提供することができた。
【００３４】
上記目的は、すり鉢形状の代わりに、溝部が単なる斜面形状に連なっていても達成することができる。しかし、すり鉢形状のように、両端が盛り上がっている形状であれば、組み立て時に不慮の力をかけても、鍔部３２５２の端部がリード線３７０１に接触する前に、すり鉢形状部３７１４の両端が接触するので、リード線３７０１の破断を防ぐことができる。よって、コイルユニット３７において、溝３７１２はすり鉢形状に連なっていることがより好ましい構成である。
【００３５】
以上、本発明の好ましい実施形態について説明したが、本発明はこれらの実施形態に限定されず、その要旨の範囲内で種々の変形及び変更が可能である。例えば、上記した本実施例では、コイルユニット３７の溝３７１２は光軸方向に開口していたが、それに限るものではない。光軸と垂直方向の遮光を得る場合にも適用することができる。
【符号の説明】
【００３６】
２  レンズ鏡筒、３２  コイル保持部材、３２５２  鍔部、３７  コイルユニット、
３７０  コイル本体、３７０１  リード線、３７１  コイルボビン、３７１１  端子部、
３７１２  溝、３７１４  斜面
【図１】
2016102842.tif 000003
【図２】
2016102842.tif 000004
【図３】
2016102842.tif 000005
【図４】
2016102842.tif 000006
【図５】
2016102842.tif 000007
【図６】
2016102842.tif 000008